(57)【要約】【課題】片手でも簡単に蓋を開けることのできる包装用容器を提供する【解決手段】容器本体１と撓み変形可能な蓋２とから構成され、蓋２は、天面部２ａとその周囲下方に延びる側壁２ｂとから山状に膨出されてなる蓋本体３と、該蓋本体３の側壁３ｂの下部から外方向に拡がる蓋フランジ４と、該蓋フランジ４の一部から外方向に延設されたつまみ５とを備え、これら蓋本体３、蓋フランジ４およびつまみ５が合成樹脂製シートを膨出成形して一体的に形成されてなり、つまみ５は、前記シートの一部を上方に膨出させて突状に形成される。【選択図】図１
2005162302.tif 000002
【特許請求の範囲】
【請求項１】
容器本体と撓み変形可能な蓋とから構成され、
前記蓋は、天面部とその周囲下方に延びる側壁とから山状に膨出されてなる蓋本体と、該蓋本体の側壁の下部から外方向に拡がる蓋フランジと、該蓋フランジの一部から外方向に延設されたつまみとを備え、これら蓋本体、蓋フランジおよびつまみが合成樹脂製シートを膨出成形して一体的に形成されてなり、
前記つまみは、前記シートの一部を上方に膨出させて隆起部が形成されていることを特徴とする包装用容器。
【請求項２】
前記つまみの裏面に指先を挿入可能な凹部が形成されたことを特徴とする請求項１に記載の包装用容器
【請求項３】
前記つまみ形成位置に対応する前記蓋本体の側壁下部に、蓋開放時に指先を挿入可能なくぼみが蓋本体内側へ陥没するように形成されたことを特徴とする請求項１または２に記載の包装用容器。
【請求項４】
前記容器本体が浅皿状に形成される請求項１記載の包装用容器。
【請求項５】
前記容器本体が、楕円又は円形の浅皿状に形成される請求項１記載の包装用容器。
【請求項６】
前記容器本体の周縁に、前記蓋フランジに嵌合する嵌合部が下方に湾曲して形成され、該嵌合部の外周側に突出して前記蓋を実質的に係止する係止受けが周設され、前記蓋フランジの内面の複数箇所に間隔をおいて前記係止受けと係脱自在に係止する係止部が形成されたことを特徴とする請求項１〜５のいずれかに記載の包装用容器。
【請求項７】
前記つまみの根元部の両側に前記係止部が形成されたことを特徴とする請求項６に記載の包装用容器。
【発明の詳細な説明】
【技術分野】
【０００１】
本発明は、蓋を簡単に開けることのできる包装用容器に関するものである。
【背景技術】
【０００２】
弁当などを食品を収納する包装用容器は、簡単に蓋が開かないように、蓋と容器本体とを嵌合させている。そして、蓋を開けやすくするために、蓋の縁につまみが設けられたものがある（特許文献１参照）。
【０００３】
特許文献１記載の包装用容器は、蓋の周縁部から外方に延びるつまみ片が設けられている。つまみ片をつまんで持ち上げることにより、深皿状の容器本体から蓋を開けることができるというものである。
【特許文献１】特開２０００−３０２１５０号公報（段落０００５、段落０００６参照）
【発明の開示】
【発明が解決しようとする課題】
【０００４】
しかしながら、特許文献１では、つまみが平板状であるため、つまみを掴んで上方へ引き上げるときにつまみが撓んでしまい、つまみの引き上げ力が蓋本体に十分に伝わり難い。そのため、片方の手で容器本体を持ち、もう一方の手指でつまみを持ち上げる操作をしなければ、蓋と容器本体との係止手段を解除することができない。
【０００５】
ところで、特許文献１のように、深皿状の容器本体の場合、蓋開放時に容器本体を持ちながら蓋を開放することができるが、底の浅い浅皿状の容器本体の場合、蓋開放時に容器本体を持つことができなくなる。そのため、特許文献１のような平板状のつまみでは、そのたわみ変形により、つまみの持ち上げ力が、蓋本体に十分伝えることができず、蓋を開放することができなくなる。
【０００６】
蓋の周囲の複数箇所に係止部が形成され、容器本体の周囲に形成されたリップ状の係止受けとアンダーカット結合している場合には、なおさら蓋を開放することができなくなる。
【０００７】
そこで、本発明は、浅皿状の容器本体であっても、片手で簡単に蓋を開けることのできる包装用容器の提供を目的とする。
【課題を解決するための手段】
【０００８】
上記目的を達成するため、本発明に係る包装用容器は、容器本体と撓み変形可能な蓋とから構成され、前記蓋は、天面部とその周囲下方に延びる側壁とから山状に膨出されてなる蓋本体と、該蓋本体の側壁の下部から外方向に拡がる蓋フランジと、該蓋フランジの一部から外方向に延設されたつまみとを備え、これら蓋本体、蓋フランジおよびつまみが合成樹脂製シートを膨出成形して一体的に形成されてなり、前記つまみは、前記シートの一部を上方に膨出させて隆起部が形成されていることを特徴としている。
【０００９】
上記構成によると、つまみはシートの一部を上方に膨出させて隆起部が突状に形成されているので、平板状のつまみと異なり、剛性があるため、たわみ変形しにくくなる。そのため、つまみの持ち上げ力が蓋フランジさらには蓋本体に伝わりやすくなり、小さい力で容易に蓋を開放することができる。
【００１０】
この場合、つまみはシートの一部を上方に膨出させているので、裏面側には凹部が形成されることになる。そこで、つまみの裏面の凹部を指先が挿入可能な大きさに設定すれば、つまみを掴んだときに、凹部に指先が入り易くなり、引き上げ操作が容易に行える。
【００１１】
通常、つまみの凹部に人差し指を挿入して親指を支点につまみを押し上げるようにして蓋を開放する。このとき、親指先が蓋本体の側壁部に当たる可能性がある。そこで、つまみ形成位置に対応する蓋本体の側壁下部に、蓋開放時に指先を挿入可能なくぼみを蓋本体内側へ陥没するように形成すれば、側壁が邪魔にならずに指先を蓋側の蓋フランジや蓋本体に押し当てることができる。したがって、つまみは蓋本体側に押し当てた指先を支点として持ち上げることができ、蓋本体あるいは蓋フランジをたわみ変形させることができる。
【００１２】
一方、容器本体は、深皿あるいは浅皿のいずれであってもよいが、浅皿状のものに上記蓋構造を適用すれば、蓋の開け易さを十分発揮することができる。さらに、楕円又は円形の浅皿状の容器本体に適用するのが好ましい。
【００１３】
また、容器本体と蓋の嵌合は、実質的な係止手段がない状態であってもよいが、通常、以下の構成の包装用容器に適用されているので、このような包装用容器において、本発明のつまみ部構造を適用するのが好ましい。すなわち、包装用容器は、容器本体の周縁に、前記蓋フランジに嵌合する嵌合部が下方に湾曲して形成され、該嵌合部の外周側に突出して前記蓋を実質的に係止する係止受けが周設され、前記蓋フランジの内面の複数箇所に間隔をおいて前記係止受けと係脱自在に係止する係止部が形成されたものである。
【００１４】
この場合、つまみの根元部の両側に係止部を形成することができる。これにより、つまみを引き上げると、根元部の係止部が容器本体の係止受けから外れる。この係止部は、蓋フランジを内側に膨出して形成されるので、つまみ根元部の補強部材としても機能することになる。
【発明の効果】
【００１５】
以上の説明から明らかな通り、本包装用容器は、合成樹脂製シートの一部を上方に膨出させて隆起部を備えたつまみを形成しているので、つまみの剛性が高くなり、小さな力で容易に蓋を開放することができる。また、つまみの裏面の凹部に指先を挿入可能としているので、つまみの引き上げ操作も容易に行える。
【発明を実施するための最良の形態】
【００１６】
以下、本発明の実施形態を図面に基づいて説明する。図１は本実施形態の包装用容器の平面図、図２は同じく包装用容器の正面図、図３は同じく包装用容器の左側面図、図４は図１のＡ−Ａ断面図、図５は本実施形態の蓋の正面図、図６は同じく蓋の左側面図、図７は図１のＢ−Ｃ断面図、図８は図５のＦ−Ｇ断面図、図９は図３のＤ−Ｄ拡大図、図１０は図４のＥ−Ｅ拡大図である。
【００１７】
本包装用容器は、合成樹脂製であり、容器本体１と蓋２とから構成される。
【００１８】
蓋２は、蓋本体３と、蓋本体３の周縁から外方向に拡がる蓋フランジ４と、蓋フランジ４の一部から外方向に延設されたつまみ５とから構成される。蓋２は、ＰＥＴ製であるが、その他の合成樹脂を使用してもよい。
【００１９】
また、蓋２は、後述するくぼみ６に指を挿入してつまみ５を上方へ引き上げたときに、くぼみ６あるいは蓋フランジ４を中心として、蓋フランジ４がたわみ変形して上方へ引き上げられる程度の弾性を有するのが好ましい。この弾性力を得るために、蓋２は、厚み０．３５ｍｍ程度のＰＥＴ製シートの真空成形により成形される。
【００２０】
蓋本体３は、楕円形状の板からなる天面部３ａと、その周囲下方に形成された側壁３ｂとから山形形状に形成される。また、蓋本体３は上方からみて楕円形状とされる。天面部３ａは、その周縁が隆起して天面リブ７が形成され、これにより、蓋本体３の水平方向の圧力に耐えることができる。
【００２１】
つまみ５の形成位置に対応する側壁３ｂの下部には、蓋２を開ける時に指を挿入可能なくぼみ６が、蓋本体３内部側へ陥没するようにして形成されている。くぼみ６の底面６ａは、奥へいくほど下り傾斜となるように形成される。このように形成すれば、くぼみ６に指を挿入してそこを支点とするときに、指の位置が安定しやすい。
【００２２】
蓋フランジ４は、蓋本体３の側壁３ｂの下部の全周から外方向に拡がるように延設される。この蓋フランジ４は、側壁３ｂの下端よりも上方に隆起して断面略円弧状に形成され、その下端が、蓋本体３の側壁３ｂの下端よりも下方の位置まで延設される。
【００２３】
つまみ５は、蓋フランジ４の外壁４ａの下端から外側方向へ延設して形成される。その形成位置は、楕円状の蓋本体の短軸位置に形成されている。つまみ５は平面視で半円形状とされ、その剛性を高めるために、中央部分を上方に膨出させて突状の隆起部５ａが形成される。この隆起部５ａの裏面は凹部５ｂとなっており、凹部５ｂの大きさは、指先が入りやすい大きさに設定される。つまみ５は、上記隆起部５ａにより、たわみ変形しにくくなるので、つまみ５の持ち上げ力が蓋フランジ４に伝わりやすくなり、小さい力で容易に蓋を開放することができる。
【００２４】
また、蓋フランジ４の外壁４ａの内面には、容器本体１の外周縁の係止受け１１に係止する係止部４ｂが間隔をおいて複数箇所に形成される。この係止部４ｂは、蓋フランジ４を内側に膨出させることにより形成される。係止部４ｂは、蓋本体の短軸の両端部位置と、長軸の端部から両短軸端部側に向って周状に移行した位置の計６箇所に形成される。ただし、短軸の一端部側には、つまみ５が存在するので、つまみ５の根元部の両側に分割して形成されている。つまみ５の根元部に形成された係止部４ｂは、つまみ５の付根位置の補強部材としても機能する。
【００２５】
容器本体１は、平面視で楕円形の浅皿状に形成された皿体８と、その皿体８の周縁に下方に湾曲する断面略円弧状の嵌合部９と、該嵌合部９の外端から垂下するスカート部１０の下端から水平方向に延設するリップ状の係止受け１１とから構成される。嵌合部９は、その上面が蓋フランジ４の下面凹部に嵌合するようになっている。リップ状の係止受け１１は、容器本体１の全周に形成され、蓋フランジ４側の係止部４ｂが係脱自在に係止される。容器本体１の素材は、ＰＰＦ（フィラー混入ポリプロピレン）を用いるが、その他ポリプロピレン、ポリエチレン等の合成樹脂を採用してもよい。また、容器本体１は、厚み０．４３ｍｍ程度の合成樹脂製シートの真空成形により形成される。
【００２６】
皿体８は、その深さが略１５ｍｍと浅く形成されるが、これに限定されるものではない。皿体８の底面には、リブ状の足部１２が環状に隆起形成される。足部１２により、容器本体１の設置安定性が高まる。
【００２７】
上記構成の包装用容器は、閉蓋時は、蓋フランジ４内に嵌合部９が嵌め込まれて、蓋２の水平方向の位置が固定される。また、蓋フランジ４の外壁４ａ内面に形成された係止部４ｂが係止受け１１の下端の下方に配されることにより、上下方向への動きに対して蓋２が実質的に係止される。したがって、係止部４ｂ及び係止受け１１の係止状態を解除しないかぎりは、蓋は開かない。
【００２８】
この包装用容器の蓋２を開くときには、例えば、親指を蓋本体３のくぼみ６に挿入し、つまみ５の裏面の凹部５ｂに人差し指を挿入してつまみ５を引き上げる。そうすると、つまみ５が上方に引き上げられ、その力が蓋本体側に伝わり、蓋フランジ４が撓み変形し、そのたわみ変形がつまみ根元部の係止部４ｂのみならず、その左右両側にある係止部４ｂにまで伝わり、係止部４ｂを容器本体１の係止受け１１から外す方向に作用する。その作用と共に、つまみ５をその引き上げ力を解除する方向に作用させると、蓋フランジ４は元の状態に復元する方向に働き、その復元力によっても係止部４ｂが振動して係止受け１１から外れる方向に作用する。
【００２９】
このとき、つまみ５には、隆起部５ａが形成されて剛性があるので、その持ち上げ力が蓋フランジ４及び蓋本体に伝わりやすくなり、少ない力でつまみ５を引き上げることができる。また、つまみ５を引き上げるとき、親指がくぼみ６に入りやすくなるため、親指先が蓋フランジ４を下方に押し下げやすくなる。そのため、その押し下げ力によって、蓋フランジ４がたわみ変形して蓋フランジ４の外周縁を外方向に拡がりやすくなり、係止部４ｂを容器本体１の係止受け１１から外れやすくする。したがって、簡単に蓋を開けることができる。
【００３０】
このように、片手でも簡単に蓋２を開けることができるので、容器本体１が支えにくい、底の浅い皿状のものであったとしても、容易に蓋２を開けることができる。
【００３１】
なお、蓋２を開ける際のつまみ５等の持ち方は上記に限定されるものではなく、親指をくぼみ６において人差し指でつまみ５を持ち上げる形態、両手を使う形態など種々の方法で開けることができるのはもちろんのことである。
【図面の簡単な説明】
【００３２】
【図１】本実施形態の包装用容器の平面図
【図２】同じく包装用容器の正面図
【図３】同じく包装用容器の左側面図
【図４】図１のＡ−Ａ断面図
【図５】本実施形態の蓋の正面図
【図６】同じく蓋の左側面図
【図７】図１のＢ−Ｃ断面図
【図８】図５のＦ−Ｇ断面図
【図９】図３のＤ−Ｄ拡大図
【図１０】図４のＥ−Ｅ拡大図
【符号の説明】
【００３３】
１      容器本体
２      蓋
３      蓋本体
３ａ    天面部
３ｂ    側壁
４      蓋フランジ
４ｂ    係止部
５      つまみ
５ａ    隆起部
５ｂ    凹部
６      くぼみ
８      皿体
９      嵌合部
１１    係止受け
【図１】
2005162302.tif 000003
【図２】
2005162302.tif 000004
【図３】
2005162302.tif 000005
【図４】
2005162302.tif 000006
【図５】
2005162302.tif 000007
【図６】
2005162302.tif 000008
【図７】
2005162302.tif 000009
【図８】
2005162302.tif 000010
【図９】
2005162302.tif 000011
【図１０】
2005162302.tif 000012